(57)【要約】【課題】ストラップで支持される指をグリップ本体に確実に当接させてフィット感を向上させ得ると共に、各種の歩行補助に適用できる等、汎用性に優れた歩行補助用ポールのグリップを提供する。【解決手段】ポールの上部に配設されるグリップ本体の長手方向の所定位置に、隣接する２本の指で挟持可能な挟持部が所定寸法突出状態で設けられると共に、この挟持部の上下に位置する各指がストラップで支持されることを特徴とする。前記ストラップは、グリップ本体の上端部と挟持部間に取り付けられる上ストラップと、グリップ本体の下端部と挟持部間に取り付けられる下ストラップを有し、前記挟持部は、歩行者の中指と薬指を挟持可能な位置に設けられる。【選択図】  図２
2016030117.tif 000002
【特許請求の範囲】
【請求項１】
ポールの上部に配設されたグリップ本体と、該グリップ本体の上端部と下端部との間に配設され歩行者がグリップ本体を握った際に、歩行者の手の甲側を支持可能なストラップと、を備え、
前記グリップ本体は、その長手方向の所定位置に隣接する２本の指で挟持可能な挟持部が所定寸法突出状態で設けられると共に、この挟持部の上下に位置する各指が前記ストラップで支持されることを特徴とする歩行補助用ポールのグリップ。
【請求項２】
前記ストラップは、前記グリップ本体の上端部と前記挟持部間に取り付けられる上ストラップと、前記グリップ本体の下端部と前記挟持部間に取り付けられる下ストラップを有することを特徴とする請求項１に記載の歩行補助用ポールのグリップ。
【請求項３】
前記挟持部は、前記歩行者の中指と薬指とで挟持可能な位置に設けられていることを特徴とする請求項１または２に記載の歩行補助用ポールのグリップ。
【請求項４】
前記上ストラップと下ストラップは、それぞれ長さ調整可能に前記グリップ本体に取り付けられていることを特徴とする請求項２または３に記載の歩行補助用ポールのグリップ。
【発明の詳細な説明】
【技術分野】
【０００１】
本発明は、例えばノルディック・ウォークをする際に使用したり高齢者等が歩行する際に杖として使用する歩行補助用ポールに関わり、特にポールの上部に取り付けられて歩行者が手で握るためのグリップに関する。
【背景技術】
【０００２】
従来、この種のグリップとしては、例えば特許文献１に開示されている。このグリップは、ポールの上部に取り付けられるグリップ本体と、このグリップ本体の上端部と下端部との間に配設された長さ調整可能なストラップとを備えている。そして、グリップ本体の上端部に設けられた凹状曲面からなる支持部に親指を載せた状態で、他の４本の指でグリップ本体を握ると共に４本の指をストラップ内に位置させ、各指の甲側をストラップで支持して歩行するようにしている。
【先行技術文献】
【特許文献】
【０００３】
【特許文献１】特許第５４６００２号公報
【発明の概要】
【発明が解決しようとする課題】
【０００４】
しかしながら、このようなグリップにあっては、親指を除く４本の指が全て密着した状態でストラップ内に位置し、これらの指の甲側がストラップで押圧支持されるため、隣接する２本の密着した指の重なり等で、各指をグリップ本体に確実に当接（接触）させることが難しく、４本の指でグリップ本体を確実に握っているというフィット感を得ることが難しい。また、１本のストラップで４本の指が押圧支持されるため、例えば指に障害を持つ歩行者等の場合に、障害を持つ指への負担が大きくなり易く、リハビリが良好に行えない等、各種の歩行補助に適用できず汎用性の面で劣る場合がある。
【０００５】
本発明は、このような事情に鑑みてなされたもので、その目的は、ストラップで支持される各指をグリップ本体に確実に当接させてフィット感を向上させ得ると共に、各種の歩行補助に適用できる等、汎用性に優れた歩行補助用ポールのグリップを提供することにある。
【課題を解決するための手段】
【０００６】
かかる目的を達成すべく、本発明のうち請求項１に記載の発明は、ポールの上部に配設されたグリップ本体と、該グリップ本体の上端部と下端部との間に配設され歩行者がグリップ本体を握った際に、歩行者の手の甲側を支持可能なストラップと、を備え、前記グリップ本体は、その長手方向の所定位置に隣接する２本の指で挟持可能な挟持部が所定寸法突出状態で設けられると共に、この挟持部の上下に位置する各指が前記ストラップで支持されることを特徴とする。
【０００７】
また、請求項２に記載の発明は、前記ストラップが、前記グリップ本体の上端部と前記挟持部間に取り付けられる上ストラップと、前記グリップ本体の下端部と前記挟持部間に取り付けられる下ストラップを有することを特徴とする。さらに、請求項３に記載の発明は、前記挟持部が、前記歩行者の中指と薬指とで挟持可能な位置に設けられていることを特徴とする。また、請求項４に記載の発明は、前記上ストラップと下ストラップが、それぞれ長さ調整可能に前記グリップ本体に取り付けられていることを特徴とする。
【発明の効果】
【０００８】
本発明のうち請求項１に記載の発明によれば、グリップ本体に２本の指で挟持可能な挟持部が突出状態で設けられ、この挟持部でグループ化された各指がストラップで支持されるため、挟持部で隣接する指同士の過度な密着を防止でき、各指をグリップ本体に確実に当接させてフィット感を向上させることができる。また、挟持部により指がグループ化された状態でストラップで支持されるため、例えば障害のある指への負担を軽減させることができて、リハビリ等の各種の歩行補助に適用できる等、汎用性に優れたグリップを得ることができる。
【０００９】
また、請求項２に記載の発明によれば、請求項１に記載の発明の効果に加え、ストラップが、グリップ本体の上端部及び下端部と挟持部との間に取り付けられる上ストラップ及び下ストラップを有するため、グループ化された指に対応したストラップで各指を確実に支持できて、フィット感を一層向上させることができる。
【００１０】
さらに、請求項３に記載の発明によれば、請求項１または２に記載の発明の効果に加え、挟持部が歩行者の中指と薬指とで挟持可能な位置に設けられているため、４本の指の中央部分に設けた挟持部で人差し指と中指及び薬指と小指の２本の指同士を最適な状態でグループ化できて、各指によるフィット感をより一層向上させることができる。
【００１１】
さらに、請求項４に記載の発明によれば、請求項２または３に記載の発明の効果に加え、上ストラップと下ストラップがそれぞれ長さ調整可能にグリップ本体に取り付けられているため、挟持部でグループ化された各指のストラップによる締め具合を調整できて、フィット感をより一層向上させたり、各種の歩行補助に的確に対応することができる。
【図面の簡単な説明】
【００１２】
【図１】本発明に係わるグリップを使用した歩行補助用ポールの正面図
【図２】同そのグリップの基本概念を示す斜視図
【図３】同グリップの具体的な実施形態を示す縦断面図
【図４】同図３のＡ−Ａ線矢視図
【図５】同図３のＢ−Ｂ線矢視図
【図６】同グリップ本体の下端部の縦断面図
【図７】同下部ストラップ支持部材の平面図
【図８】同グリップを手で握った状態を歩行方向斜め前方側から見た図
【図９】同その平面図
【発明を実施するための形態】
【００１３】
以下、本発明を実施するための形態を図面に基づいて詳細に説明する。
本発明のグリップ１は、図１に示す歩行補助用ポール２に取り付けられて使用される。すなわち、歩行補助用ポール２は、所定長さかもしくは長さ調整可能なポール３を有し、このポール３の先端である下端には、歩行時の衝撃吸収用のゴムキャップ４が取り付けられ、ポール３の上端にはグリップ１が取り付けられている。
【００１４】
そして、前記グリップ１は、図２の基本概念図に示すように、断面略楕円形状に形成されたグリップ本体５と、このグリップ本体５の上端部５ａと下端部５ｂとの間に配設されたストラップ６を備えている。前記グリップ本体５は、その長手方向の中間位置に人差し指、中指、薬指及び小指の４本の指で握ることが可能な握り部７が形成され、この握り部７の上端及び下端には、握り部７より経大な親指支持部８と小指支持部９が一体形成されている。
【００１５】
また、前記握り部７の長手方向の例えば中間位置で歩行方向イと直交する一方の側面には、挟持部１０が所定寸法突出状態で設けられている。この挟持部１０は、基端部が握り部７の側面に後述する如く埋設固定された例えば断面略円形で人の指の太さに応じた高さの支柱１０ａと、この支柱１０ａの先端に一体的に設けられた所定面積の平板状の係止板１０ｂを有しており、係止板１０ｂには、その上下端に長孔からなる係止孔１０ｃ、１０ｄが形成されている。
【００１６】
また、グリップ本体５の上端部となる握り部７の上端には、前記側面の外側方向に突出した上ストラップ支持部材１１が取り付けられると共に、グリップ本体５の下端部となる握り部７の下端には、側面の外側方向に突出した下ストラップ支持部材１２が取り付けられている。この上ストラップ支持部材１１及び下ストラップ支持部材１２は、例えば樹脂製の板体で形成され、上ストラップ支持部材１１の係止孔１１ａと前記挟持部１０の係止孔１０ｃとの間に上ストラップ６ａが長さ調整可能に取り付けられ、下ストラップ支持部材１２の係止孔１２ａと挟持部１０の係止孔１０ｄとの間に下ストラップ６ｂが長さ調整可能に取り付けられている。
【００１７】
図３〜図９は、前記グリップ１をより具体化した実施形態を示している。以下、前記基本概念図と同一部位には同一符号を付して説明する。グリップ本体５の握り部７と親指支持部８間には、図３及び図４に示すように、取付凹部１３が形成され、この取付凹部１３内に前記上ストラップ支持部材１１の基端部が嵌挿されて、例えばネジ１４により固定されている。この上ストラップ支持部材１１の係止孔１１ａに前記上ストラップ６ａの上端が着脱不能に連結されている。
【００１８】
また、前記挟持部１０は、図３及び図５に示すように、前記支柱１０ａの基端部に設けた係止部が握り部７内の係止凹部に係止された状態で先端側が握り部７の外側に垂直状態で突出している。この挟持部１０の先端部の係止板１０ｂの係止孔１０ｃ、１０ｄのうち上方の係止孔１０ｃに上ストラップ６ａの下端が長さ調整可能に連結され、他方の係止孔１０ｄに下ストラップ６ｂの上端が長さ調整可能に連結されている。
【００１９】
さらに、前記握り部７の下部には、図３及び図６に示すように、円筒形状の支持部材取付部１５が一体形成され、この支持部材取付部１５の外周面には、円環状の溝１５ａが形成されている。そして、この溝１５ａに、図６及び図７に示す前記下ストラップ支持部材１２の円環状の嵌合部１２ｂが嵌合されると共に、嵌合部１２ｂの外周面の一箇所に一体形成された係止部１２ｃの長孔からなる係止孔１２ａに、下ストラップ６ｂの下端が着脱不能に連結されている。つまり、挟持部１０の上下に上ストラップ６ａと下ストラップ６ｂがそれぞれ長さ調整可能に取り付けられている。
【００２０】
なお、前記上ストラップ６ａ及び下ストラップ６ｂは、所定幅の布製で前記グリップ本体５の握り部７を握る所定本数の指の甲側を支持可能な長さに設定されている。そして、この上ストラップ６ａの下端と下ストラップ６ｂの上端の挟持部１０の係止板１０ｂへの取り付けは、各ストラップ６ａ、６ｂの先端を各ストラップ支持部材１１、１２の係止孔１１ａ、１２ａに挿入して折り返し、この折り返した端部を各ストラップ６ａ、６ｂの表面に、図示しない布製ファスナー等を利用して係止させることで行うことができる。また、前記グリップ本体５の前記小指支持部９と握り部７の軸心位置には、前記ポール３の上端を取り付けるための上底部が閉塞した取付孔１６（図６参照）が形成されている。
【００２１】
このように構成されたグリップ１は、次のようにして使用される。先ず、グリップ本体５は、製造会社において、その軸心位置に形成された前記取付孔１６を、グリップ本体５自体の弾性や接着材を利用してポール３の上端に嵌合することでポール３の上部に取り付けられて出荷される。この製造及び出荷時において、上ストラップ６ａ及び下ストラップ６ｂは、その下端及び上端が、挟持部１０の係止板１０ｂに取り付けられ、その上端及び下端が上ストラップ支持部材１１及び下ストラップ支持部材１２に取り付けられた状態となる。
【００２２】
そして、歩行者が２本の歩行補助用ポール２を左右の手で持ってノルディック・ウォーク（歩行）をする場合は、図８に示すように、各手１７の人差し指１７ｂと中指１７ｃ及び薬指１７ｄと小指１７ｅの４本の指を、各手１７に対応した歩行補助用ポール２の上ストラップ６ａと下ストラップ６ｂの内側に入れて各指でグリップ本体５の握り部７を握る。このとき、人差し指１７ｂと中指１７ｃを握り部７の挟持部１０上側に位置させ、薬指１７ｄと小指１７ｅを挟持部１０の下側、すなわち４本の指を２つのグループに分けて、挟持部１０の上下に位置させて握り部７を握ることになる。
【００２３】
この各指で握り部７を握った状態で、上ストラップ６ａと下ストラップ６ｂの長さを調整して、上ストラップ６ａの内面が人差し指１７ｂと中指１７ｃの甲側に軽く接触し、下ストラップ６ｂの内面が薬指１７ｄと小指１７ｅの甲側に軽く接触するように調整する。また、フリーな状態の親指１７ａは、図８に示すように、グリップ本体５の親指支持部８の凹曲面からなる載置面に載置するか、あるいは図９に示すように、親指支持部８の側面を握った状態とする。
【００２４】
これにより、各手１７の５本の指１７ａ〜１７ｅでグリップ本体５が握られることになり、このとき、中指１７ｃと薬指１７ｄとの間に挟持部１０が位置していることから、挟持部１０の支柱１０ａでこれらの指１７ｃ、１７ｄの密着や重なりが防止されることになる。また、グループ化された各指は対応する上ストラップ６ａと下ストラップ６ｂで、握り部７からの浮き上がりが防止される。このとき、中指１７ｃと薬指１７ｄは、挟持部１０の係止板１０ｂでもその浮き上がりが防止された状態となる。これらにより、各指１７ａ〜１７ｅの握り部７の握りに良好なフィット感が得られると共に、握った指１７ａ〜１７ｅに窮屈感を感じることもなくストレスを解消した状態での歩行が可能になる。
【００２５】
このように前記グリップ１によれば、グリップ本体５の側面に、隣接する２本の指で挟持可能な挟持部１０が突出状態で設けられると共に、ストラップ６がグリップ本体５の上下端部５ａ、５ｂと挟持部１０との間に取り付けられる上ストラップ６ａと下ストラップ６ｂを有するため、２本のストラップ６ａ、６ｂで例えばグループ化された２本の指をそれぞれ支持できると共に挟持部１０で隣接する指同士の過度な密着等を防止でき、各指１７ａ〜１７ｅをグリップ本体５に確実に当接させてフィット感を向上させることができる。
【００２６】
特に、挟持部１０が歩行者の中指１７ｃと薬指１７ｄを挟持可能な位置に設けられているため、４本の指の中央部分に設けた挟持部１０で人差し指１７ｂと中指１７ｃ及び薬指１７ｄと小指１７ｅの２本の指同士をグループ化でき、各指によるフィット感を一層向上させることができる。さらに、上ストラップ６ａと下ストラップ６ｂがそれぞれ長さ調整可能にグリップ本体５に取り付けられているため、挟持部１０でグループ化された各指のストラップ６ａ、６ｂによる締め具合を調整できて、フィット感をより一層向上させたり、各種の歩行補助に的確に対応することができる。
【００２７】
また、挟持部１０で指が２つにグループ化された状態で各々別体の上下ストラップ６ａ、６ｂで支持されるため、例えば指に障害のある歩行者の場合でも、障害がある指に対応した所定のストラップ６ａ、６ｂの締め付け強度を弱くして該当する指への負担を軽減させることができ、指に障害のある歩行者の歩行補助やリハビリ等にも使用できて、各種の歩行補助に適用できる等、汎用性に優れたグリップ１を得ることが可能になる。
【００２８】
なお、前記実施形態においては、一つの挟持部１０を中指１７ｃと薬指１７ｄとの間に位置するように設けたが、本発明はこれに限定されず、薬指１７ｄと小指１７ｅの間や人差し指１７ｂと中指１７ｃの間に一つ設けても良いし、比較的径小の支柱１０ａを有する挟持部１０を複数設ける構成であっても良い。また、一つの挟持部１０を握り部７に着脱させて位置調整可能としても良く、要は、何れかの隣接する２本の指により挟持（グループ化）できる構成であれば良い。その場合、ストラップ６も２本に限らず３本設けても良いし、１本で分割された指を一括して支持する構成であっても良い。
【００２９】
また、前記実施形態における、上ストラップ支持部材１１や下ストラップ支持部材１２の形態も、前記実施形態に限定されず、基本概念図に示すように、例えば下ストラップ支持部材１２をグリップ本体５の下端部に設けて、下ストラップ６ｂを連結可能な適宜の形態を採用することもできる。さらに、前記実施形態においては、挟持部１０の支柱１０ａを指１７ｃ等の太さに対応した高さの円柱形状としたが、例えば楕円形状に形成しても良いし、その周面に指の側面の一部が係合可能な浅い凹部を設ける構成としても良い。
【００３０】
また、前記実施形態における、グリップ本体５の各部の形状、ストラップ６ａ、６ｂの構成等も一例であって、例えば各ストラップ６ａ、６ｂの長さ調整を上下で可能として、ストラップ６ａ、６ｂとグリップ本体５の位置を手の形態に応じた位置に設定したり、あるいはストラップ６ａ、６ｂ自体のグリップ本体５からの取り外しを可能として、その交換を容易に行えるようにする等、本発明に係わる各発明の要旨を逸脱しない範囲において、適宜の構成を採用することができる。
【産業上の利用可能性】
【００３１】
本発明は、ノルディック・ウォーク用の歩行補助用ポールへの適用に限らず、リハビリ用や高齢者が歩行する際に使用する杖にも適用できる等、歩行を補助することが可能な全ての歩行補助用ポールのグリップに利用可能である。
【符号の説明】
【００３２】
１・・・・・・・・・グリップ
２・・・・・・・・・歩行補助用ポール
３・・・・・・・・・ポール
４・・・・・・・・・ゴムキャップ
５・・・・・・・・・グリップ本体
５ａ・・・・・・・・上端部
５ｂ・・・・・・・・下端部
６・・・・・・・・・ストラップ
６ａ・・・・・・・・上ストラップ
６ｂ・・・・・・・・下ストラップ
７・・・・・・・・・握り部
８・・・・・・・・・親指支持部
９・・・・・・・・・小指支持部
１０・・・・・・・・挟持部
１０ａ・・・・・・・支柱
１０ｂ・・・・・・・係止板
１０ｃ、１０ｄ・・・係止孔
１１・・・・・・・・上ストラップ支持部材
１１ａ・・・・・・・係止孔
１２・・・・・・・・下ストラップ支持部材
１２ａ・・・・・・・係止孔
１２ｂ・・・・・・・嵌合部
１２ｃ・・・・・・・係止部
１３・・・・・・・・取付凹部
１７・・・・・・・・手
１７ａ・・・・・・・親指
１７ｂ・・・・・・・人差し指
１７ｃ・・・・・・・中指
１７ｄ・・・・・・・薬指
１７ｅ・・・・・・・小指
【図１】
2016030117.tif 000003
【図２】
2016030117.tif 000004
【図３】
2016030117.tif 000005
【図４】
2016030117.tif 000006
【図５】
2016030117.tif 000007
【図６】
2016030117.tif 000008
【図７】
2016030117.tif 000009
【図８】
2016030117.tif 000010
【図９】
2016030117.tif 000011